(57)【要約】【課題】農作物等を、猿やハクビシン、猪等の獣から守る、有効な獣撃退具はなく、猪等を考えた対策では防御壁の上部から猿等に侵入され、猿対策を主点にすると、猪に下部から突破されるなどで、これらの対策費用は計り知れず、十分な対策が出来ない。【解決手段】本発明の突き出し格子逆ｙ型獣撃退具は、縦方向の寸法が異なる、２枚の突き出し格子本体を組み合わせた、獣の撃退具である。寸法の短い方の上部の横棒と、長い方の格子の横棒を組み合わせて、２箇所以上をリング等で組み合わせて溶接はしない。横移動と角度の調整ができ、折りたたむことができる移動式の獣撃退具で、持ち運びが簡単なので、収穫時期に合わせて、効率的に使うことができる。突き出し格子棒の先端部で、獣に痛い思いをさせて怖がらせ、格子形態によって、獣の侵入を阻止する。尚、上部の格子枡の中間に格子棒を入れることで、突き出し格子逆ｙ型獣撃退具の上部を乗り越えようとする、獣の撃退効果を、更に向上させることができる。【選択図】図１
2009159932.tif 000002
【特許請求の範囲】
【請求項１】
縦方向の長さが異なる、２枚の突き出し格子から成る、突き出し格子逆ｙ型獣撃退具であって、縦方向が長い方の中間横棒と、縦方向が短い方の上部横棒をｙ型に組み合わせた、突き出し格子逆ｙ型獣撃退具。
【請求項２】
請求項１に記載した、突き出し格子逆ｙ型獣撃退具であって、縦方向が長い方の突き出し格子枡の上部中間に突き出し格子棒を入れた、突き出し格子逆ｙ型獣撃退具。
【発明の詳細な説明】
【技術分野】
【０００１】  本発明は、猿、ハクビシン、或いは、猪等の有害動物から、畑の作物や果樹を、守る為の、設置、折りたたみ、移動を簡単にした、有害動物撃退具であり、必要な時に効率よく、必要な場所に設置することを図った、移動式の有害動物撃退具に関するものである。
【背景技術】
【０００２】  果樹や畑の作物を、猿、ハクビシン、猪等から守る為の有効な手段が無く、果樹や作物の被害を防ぐ為に、固定設置式の防除壁や網等で囲って、猿やハクビシン、或いは、猪等の有害動物、以下獣と言う、の被害を防ごうとしていた。【０００３】  畑の作物や果樹の実を守る為に設置されている、高さ１メートル程度の固定設置式防御壁や網の場合、猿やハクビシンが簡単に防御壁や網の上部を乗り越えて侵入するため、猿やハクビシンを防ぐ為に、固定式の防御壁や網を高くしたり、果樹の木全体を網で囲ったり、また、果樹の実が熟す時期に見張りをしたりしていたが、その費用や時間損失は計り知れない。また、畑を荒らす猪は、防御壁や網の下部を壊して進入することが多く、異なる獣の進入を防ぐ為には、丈夫な防御壁や網を高く張り巡らさなければならないので、コスト的にみて、獣から、果樹や畑の作物を守る、有効な解決手段がない現状である。尚、丈夫な防御壁を高く張った場合は、農作物などに必要な、日当たりや風通しを悪くする問題があり、又、網で囲う方法は、草が絡み付いて、農作業の難点になっていた。
【発明の表示】
【発明が解決しようとする課題】
【０００４】  固定設置式の防除壁や網で、農作物や果樹を囲う方法は、農作業の邪魔になるし、防御壁や網等を設置する手間と費用が計り知れない。また、猿やハクビシン、猪等が痛い思いをすることもないので、防御壁や網が破られる事もある。この様な問題を解決する為に、折りたたみ移動式で、必要な時に、必要な場所に設置し易い、農作業の邪魔にならない、突き出し格子逆ｙ型獣撃退具を発明したものである。
【課題を解決する為の手段】
【０００５】  本発明の、突き出し格子逆ｙ型獣撃退具は、重さ、強度、性能、折りたたみ移動を考え、丸棒の直径３〜８ミリ、格子枡の大きさ３〜２４センチの正方形格子から成る、２枚の鉄製突き出し格子本体をｙ型に組み合わせて構成される。突き出し格子逆ｙ型獣撃退具は、縦方向の全長が短い方の上部の横棒と、長い方の格子の横棒を組み合わせて、２箇所以上をリングまたはリング状にした針金等でとめて、溶接をしない。突き出し格子逆ｙ型獣撃退具は、この構成構造によって、角度が変えられ、折りたたみ出来る。
【０００６】  突き出し格子逆ｙ型獣撃退具の突き出し格子棒の先端部を、獣の侵入方向に向け、猿やハクビシン等の有害動物から見て、覆いかぶさる形状で設置することで、突き出し格子逆ｙ型獣撃退具の高さを５０センチ程度にしても、獣の突破を阻止できるが、確実に、有害動物を撃退させる為に、上部縦方向の格子枡の中間に格子棒を入れ、横方向の突き出し棒幅を約半分に狭めることで、更に、獣を撃退する効果を高めることができる。
【０００７】  上記の突き出し格子逆ｙ型獣撃退具によって、猿等が突き出し格子に手をかけて飛び越えようとした場合、上部縦方向の突き出し格子棒間隔が狭いので、格子棒先端切断面のエッジで手を傷める。また、鼻で観察する猪は鼻を痛める。
【０００８】  突き出し格子逆ｙ型獣撃退具は、獣を怖がらせる撃退具である。尚、格子棒先端部を鋭くしておくことで、獣を撃退する性能を、更に向上させることができる。
【０００９】  突き出し格子逆ｙ型獣撃退具は、下部や中部から侵入する獣を阻止し、設置を簡便にする為に、縦方向の全長が短い方の上部の横棒と、長い方の格子の横棒を組み合わせ、２箇所以上をリングまたはリング状にした針金等でとめて溶接をしない。この構成構造によって、２枚の突き出し格子本体は格子枡の間隔内において、リングの内径側で横滑りし、横移動する。例えば２４センチの格子枡の突き出し格子本体、２枚を組合せ、格子枡の半分の横移動を行うと、リングから下の部分は、獣側から見て、半分の横幅の格子に見える。
【００１０】  突き出し格子逆ｙ型獣撃退具は、リングの内径側で横棒が回転滑りして、角度の調整が自在になるので、突き出し格子本体の立ち上がり角度が、好みや、地面勾配等に合わせて自在に変えられる。突き出し格子逆ｙ型獣撃退具は、上記の構成構造よって、好みの形状に調整して使うことができる。よって、対象とする獣や、獣の学習能力に対応した形状に調整して、獣を撃退することができる。
【００１１】  突き出し格子逆ｙ型獣撃退具は、設置、折りたたみ、移動が簡単にできるので、必要な時に効率よく、必要な場所に設置することができる為、果樹や作物が猿やハクビシン、猪等の被害に遭う収穫時期に合わせ、効率良く使い、必要のない時期は撤去できる。よって、従来から用いられている固定式の防御壁の日当たりや風通しを悪くする問題や、網に草が絡み付いて、農作業の難点になることもなく、通常通りの農作業ができる。
【００１２】  鉄製の、突き出し格子逆ｙ型獣撃退具は、適度な重さと強度、性能が得られ、地面上に設置するだけで、獣や風に倒されたりすることはないが、下部突き出し部を地面にさして設置する事で、より安定した設置ができる。よって、本発明の移動式、突き出し格子逆ｙ型獣撃退具は、従来から使用されている、固定式の防御壁や網で囲う、獣対策の問題点を解決している。
【発明の効果】
【００１３】  突き出し格子逆ｙ型獣撃退具は、果樹や作物を採りに来た獣が、突き出し格子棒先端部の痛さ、怖さで、飛び越えること等を諦めさせ、その場を離れさせることができる獣撃退具と成る。
【００１４】  突き出し格子逆ｙ型獣撃退具は、格子枡幅内で横移動ができる。よって、格子枡幅の半分を横移動すると、リングから下の部分は、獣側から見て、半分の横幅に見える様に調整できるので、中部や下部から獣が侵入することを阻止できる。
【００１５】  下側の格子棒先端部を鋭くしておくことで、簡単に地面に刺して安定した設置ができ、突き出し格子逆ｙ型獣撃退具の下部から、猪等が侵入することを阻止することができる。
【００１６】  移動式の突き出し格子逆ｙ型獣撃退具は、固定式の防御壁に比べ、取り扱いや移設が簡単なので、効率よく使うことができ、農作業の邪魔になることがなく、日当たりや風通しの問題もない。
【発明を実施する為の最良の形態】
【００１７】  以下、本発明の実施の形態を図１〜図９に基づいて説明する。
【００１８】  図において突き出し格子逆ｙ型獣撃退具は、縦方向の全長が異なる、１と４の突き出し格子本体を、９の地面に対して、逆ｙ字型に組み合わせた、突き出し格子逆ｙ型獣撃退具である。
【００１９】  突き出し格子逆ｙ型獣撃退具の突き出し格子棒の先端部３を、獣の侵入方向に向けて設置することで獣を撃退できるが、身軽で格子を乗り越える恐れのある、猿やハクビシン等の有害動物の侵入を阻止する為に、上部縦方向の格子枡の中間に８の格子棒を入れ、横方向の突き出し棒幅を、半分に狭めることによって、更に獣を撃退する効果を高めることができる。
【００２０】  上記の突き出し格子逆ｙ型獣撃退具によって、猿等が、突き出し格子に手をかけて飛び越えようとしても、上部縦方向の突き出し格子棒間隔が狭いので、格子棒先端切断面のエッジ３で手を傷める。また、鼻で危険性を観察する猪は鼻を痛める。
【００２１】突き出し格子中間横棒２と、突き出し格子の上部横棒５を、７のリングで組み合わせて溶接をしない。７のリング内で２と５の横棒は横滑りして横移動し、図７に示す様に、獣から見て、上部と同様に狭い長方形の格子に見せる形状に調整できる。よって、獣が格子穴を通過することを阻止できる。また、回転滑りで、１の突き出し格子本体と、４の突き出し格子本体との角度を自在に調整できる。
【００２２】    上記の自在調整によって、図８、図９に示す様に、折りたたむことができる。尚、移動が簡単になり、また、好みの角度にできるので、地形の変化に合わせた調整ができる。
【００２３】突き出し格子逆ｙ型獣撃退具の、一実施形態を説明する。１は、縦方向の全長が長い突き出し格子の本体、２は、突き出し格子の中間横棒、３は格子棒先端部、４は、縦方向の全長が短い突き出し格子本体で、５は上部横棒，６は格子棒先端部、２と５の横棒は、１と４の突き出し格子本体を組み合わせるのに適した格子横棒となる。この横棒を、７のリング、または、リング状にした針金でとめて溶接をしない。この様な形態で構成された、突き出し格子逆ｙ型獣撃退具は、横移動と角度調整ができ、９の地面上に設置できる。また、折りたたんで簡単に他の場所に移動して使うことができる。８は、縦方向の全長が長い突き出し格子本体の上部縦方向の格子枡の中間に入れた格子棒であり、突き出し格子逆ｙ型獣撃退具の上部を乗り越えようとする獣の撃退効果を向上させる。
【図面の簡単な説明】
【００２４】
【図１】本発明の、突き出し格子逆ｙ型獣撃退具の立面図
【図２】縦方向の全長が長い突き出し格子本体の正面図
【図３】縦方向の全長が短い突き出し格子本体の正面図
【図４】格子枡の中間に格子棒を入れた、突き出し格子本体の正面図
【図５】突き出し格子逆ｙ型獣撃退具の正面図
【図６】横棒とリングの断面図
【図７】突き出し格子逆ｙ型獣撃退具の正面図
【図８】突き出し格子逆ｙ型獣撃退具を折りたたんだ立面図
【図９】突き出し格子逆ｙ型獣撃退具を折りたたんだ正面図
【符号の説明】
【００２５】１  縦方向の全長が長い突き出し格子本体
２  同上、の中間横棒
３  同上、の格子棒の先端部
４  縦方向の全長が短い突き出し格子本体
５  同上、の上部横棒
６  同上、の格子棒の先端部
７  リング、または、リング状にした針金
８  格子枡の中間に入れた格子棒
９  地面
【図１】
2009159932.tif 000003
【図２】
2009159932.tif 000004
【図３】
2009159932.tif 000005
【図４】
2009159932.tif 000006
【図５】
2009159932.tif 000007
【図６】
2009159932.tif 000008
【図７】
2009159932.tif 000009
【図８】
2009159932.tif 000010
【図９】
2009159932.tif 000011